(57)【要約】【課題】通信端末装置に装着された装着状態、または通信端末装置から離脱した離脱状態とするだけで、設定された動作モードにすることができる、利便性の向上された撮像表示装置を提供する。【解決手段】撮像表示装置１が通信端末装置２に装着された装着状態に対応づけして待機モードが設定され、通信端末装置１が通信端末装置２から離脱した離脱状態に対応づけして撮像モードが設定される。パネル制御部１９は、通信端末装置２から離脱した離脱状態を検出すると、カメラ部１１、画像処理部１２、表示部１３、パネル操作部１４および撮像データ記憶部１４を、前記撮像モードに対応する機能に切換える。このように、たとえばパネル操作部１４などからの入力指令によって、動作モードを変更する必要がなく、撮像表示装置２を撮像モードとすることができ、これによって利便性が向上される。【選択図】      図１
2005012577.tif 000002
【特許請求の範囲】
【請求項１】
通信回線に接続される通信端末装置に着脱可能であり、かつ前記通信端末装置と通信可能な撮像表示装置であって、
撮像部と、
少なくとも前記撮像部によって撮像された画像および通信端末装置との通信によって得られた情報を含む所定の表示情報を表示する表示部と、
所定の入力情報を入力する入力部と、
少なくとも前記撮像部によって撮像された画像を含む所定の記憶情報を記憶する記憶部と、
通信端末装置への装着および離脱を検出し、予め定める第１の動作モードおよび予め定める第２の動作モードを、通信端末装置に装着された装着状態、および通信端末装置から離脱した離脱状態に対応づけて設定し、前記撮像部、表示部、入力部および記憶部を、前記第１および第２の動作モードのうち設定された動作モードに対応する機能に切換える制御部とを含むことを特徴とする撮像装置。
【請求項２】
前記第１および第２の動作モードのうち少なくとも一方には、撮像部によって撮像する撮像モード、および記憶部に記憶された画像情報を表示部に表示させる再生モードのうちの少なくともいずれか含むことを特徴とする請求項１記載の撮像表示装置。
【請求項３】
前記制御部は、前記撮像モードでは、撮像部によって撮像された画像を前記表示部に表示させ、前記入力部を、撮像部および表示部のうち少なくとも一方への指令を入力可能な撮像指令入力機能に設定することを特徴とする請求項２記載の撮像装置。
【請求項４】
前記制御部は、前記撮像指令入力機能として少なくとも、明るさ、倍率および上下反転のうち少なくとも１つを含むことを特徴とする請求項３記載の撮像装置。
【請求項５】
前記制御部は、前記再生モードでは、記憶部に記憶された画像を前記表示部に表示させ、前記入力部を、前記表示部および記憶部のうち少なくとも一方への指令を入力可能な再生指令入力機能に設定することを特徴とする請求項２記載の撮像装置。
【請求項６】
前記表示部には、前記予め定める第１の動作モードおよび予め定める第２の動作モードを含む複数のモードの中から希望するモードを選択するための複数のモード選択表示ボタンが表示され、
前記入力部には、前記各モード選択ボタンに対応する複数のモード選択操作ボタンが設けられることを特徴とする請求項１〜５のいずれかに記載の撮像装置。
【発明の詳細な説明】
【０００１】
【発明の属する技術分野】
本発明は、たとえばファクシミリ装置などの通信端末装置に着脱可能であり、撮像機能および表示機能を有する撮像表示装置に関する。
【０００２】
【従来の技術】
従来の技術の撮像表示装置、いわゆる電子カメラは、たとえば撮像カメラ、表示部、記憶部および入力部を有し、撮像素子によって撮像された画像を表示部に表示させ、入力部から入力される指令によって、前記画像を記憶部に記憶する。このような電子カメラの入力部は、十字ボタンを含み、操作者は、前記十字ボタンを操作することによって、たとえば撮像カメラによる撮像倍率を変更したり、表示部に表示されるメニューを選択して動作モードを変更したりすることができる（たとえば、特許文献１，２，３，４参照）。
【０００３】
【特許文献１】
特開２０００−２１７０２４号公報
【特許文献２】
特開２００１−２１１３６８号公報
【特許文献３】
特開２００２−４０５４０号公報
【特許文献４】
特開２００２−２６２１５２号公報
【０００４】
【発明が解決しようとする課題】
近年、インターネット通信機能を備えるファクリミリ装置の普及に伴って、画像情報をも高速で送受信することが可能となり、このようなファクシミリ装置は電話回線を介して通信ネットワークに接続され、たとえば画像を相手先に送信し、また相手先から送られてきた画像を受信することができる。前述した電子カメラは、単独で用いるものであって、前記ファクシミリ装置と通信して、撮像カメラによって撮像した画像を通信ネットワークに送信することができない。したがって、前記ファクシミリ装置と通信して、撮像カメラによって撮像された画像を通信ネットワークに送信することができる撮像表示装置が望まれている。また、このような撮像表示装置において、入力部から操作入力しなくても、所定の動作モードとすることができる利便性の向上された撮像表示装置が望まれている。
【０００５】
本発明の目的は、通信端末装置に装着された装着状態、または通信端末装置から離脱した離脱状態とするだけで、設定された動作モードにすることができる、利便性の向上された撮像表示装置を提供することである。
【０００６】
【課題を解決するための手段】
本発明は、通信回線に接続される通信端末装置に着脱可能であり、かつ前記通信端末装置と通信可能な撮像表示装置であって、
撮像部と、
少なくとも前記撮像部によって撮像された画像および通信端末装置との通信によって得られた情報を含む所定の表示情報を表示する表示部と、
所定の入力情報を入力する入力部と、
少なくとも前記撮像部によって撮像された画像を含む所定の記憶情報を記憶する記憶部と、
通信端末装置への装着および離脱を検出し、予め定める第１の動作モードおよび予め定める第２の動作モードを、通信端末装置に装着された装着状態、および通信端末装置から離脱した離脱状態に対応づけて設定し、前記撮像部、表示部、入力部および記憶部を、前記第１および第２の動作モードのうち設定された動作モードに対応する機能に切換える制御部とを含むことを特徴とする撮像装置である。
【０００７】
本発明に従えば、表示部は、少なくとも前記撮像部によって撮像された画像、および通信端末装置との通信によって得られた情報を含む所定の表示情報を、表示する。したがって、前記表示部を通信端末装置の表示部と兼用させることができる。記憶部は、たとえば入力部から入力される所定情報に基づいて、少なくとも前記撮像部によって撮像された画像を含む所定の記憶情報を記憶する。
【０００８】
撮像表示装置が通信端末装置に装着された装着状態、および通信端末装置から離脱した離脱状態に対応づけして、予め定める第１の動作モードおよび予め定める第２の動作モードが設定される。制御部は、前記通信端末装置に装着された状態を検出すると、撮像部、表示部、入力部および記憶部を、前記設定された第１の動作モードまたは第２の動作モードに対応する機能に切換える。また制御部は、通信端末装置から離脱した離脱状態を検出すると、撮像部、表示部、入力部および記憶部を、前記設定された第１の動作モードまたは第２の動作モードに対応する機能に切換える。
【０００９】
つまり操作者が通信端末装置から離脱したときに頻繁に用いる動作モード、および通信端末装置に装着したときに頻繁に用いられる動作モードを、それぞれ離脱状態および装着状態に対応づけして設定しておくことによって、撮像表示装置を通信端末装置から離脱する、または通信端末装置に装着するだけで、制御部が、撮像部、表示部、入力部および記憶部を、設定された動作モードに対応する機能に切換わる。したがって、たとえば入力部などからの入力指令によって、動作モードを変更する必要がなく、撮像表示装置を所望の動作モードとすることができ、これによって利便性が向上される。
【００１０】
また本発明は、前記第１および第２の動作モードのうち少なくとも一方には、撮像部によって撮像する撮像モード、および記憶部に記憶された画像情報を表示部に表示させる再生モードのうちの少なくともいずれか含むことを特徴とする。
【００１１】
本発明に従えば、撮像モードでは、制御部は、撮像するように撮像部を制御する。したがって、たとえば離脱状態に対応づけして撮像モードを設定すると、撮像表示装置を通信端末装置から離脱させるだけで、撮像部によって撮像される状態とすることができる。また再生モードでは、制御部は、記憶部に記憶された画像を表示部に表示させるように、記憶部および表示部を制御する。このように、撮像表示装置において、頻繁に用いられる動作モードを前記装着状態または離脱状態設定することによって、より利便性が向上される。
【００１２】
また本発明は、前記制御部は、前記撮像モードでは、撮像部によって撮像された画像を前記表示部に表示させ、前記入力部を、撮像部および表示部のうち少なくとも一方への指令を入力可能な撮像指令入力機能に設定することを特徴とする。
【００１３】
本発明に従えば、撮像モードでは、制御部は、表示部に撮像部によって撮像された画像を表示させる。これによって、操作者は、撮像部によって撮像された画像を見ることができる。また撮像モードでは、制御部は、入力部を撮像指令設定機能に設定する。これによって、前記入力部から撮像部および表示部のうち少なくとも一方への指令を直接入力することができる。したがって、撮像の設定および表示部の設定を入力部からの入力によって、直接変更することができるようになり、撮像部によって撮像する場合の操作が簡略化される。
【００１４】
また本発明は、前記制御部は、前記撮像指令入力機能として少なくとも、明るさ、倍率および上下反転のうち少なくとも１つを含むことを特徴とする。
【００１５】
本発明に従えば、前記制御部は、前記撮像指令入力機能として少なくとも、明るさ、倍率および上下反転のうち少なくとも１つを含む。明るさ、倍率および上下反転のように、操作者による使用頻度の高い機能を入力部からの入力によって直接変更することができるようになり、操作性がさらに向上される。
【００１６】
また本発明は、前記制御部は、前記再生モードでは、記憶部に記憶された画像を前記表示部に表示させ、前記入力部を、前記表示部および記憶部のうち少なくとも一方への指令を入力可能な再生指令入力機能に設定することを特徴とする。
【００１７】
本発明に従えば、再生モードでは、制御部は、記憶部に記憶された画像を表示部に表示させる。これによって、操作者は、記憶部に記憶された画像を見ることができる。また、再生モードでは、制御部は、入力部を再生指令入力機能に設定する。これによって、前記入力部から表示部および記憶部のうち少なくとも一方への指令を直接入力することができる。したがって、表示部によって表示される画像を、入力部からの入力によって、直接変更することができる、つまりたとえば記憶部に記憶される複数の画像が記憶されている場合に、表示される画像を変更することができるようになり、再生モードにおける操作性が向上する。
【００１８】
また本発明は、前記表示部には、前記予め定める第１の動作モードおよび予め定める第２の動作モードを含む複数のモードの中から希望するモードを選択するための複数のモード選択表示ボタンが表示され、
前記入力部には、前記各モード選択ボタンに対応する複数のモード選択操作ボタンが設けられることを特徴とする。
【００１９】
本発明に従えば、表示部には、前記予め定める第１および第２の動作モードを含む複数のモードの中から希望するモードを選択するための複数のモード選択表示ボタンが表示される。また前記入力部には、前記各モード選択ボタンに対応する複数のモード選択操作ボタンが設けられる。入力部のモード選択操作ボタンを操作することによって、表示部に表示されるモード選択表示ボタンを選択して、複数のモードの中から希望するモードを選択することができる。このように、入力部のようなハードウェアによって形成されるモード選択ボタンを用いて、表示部に表示され、ソフトウェアによって形成されるモード選択表示ボタンを選択することによって、モード選択ボタンを少なく構成することができる。したがって、装置のハードウェア構成を簡略化することができ、部品数を低減して装置の組み立てを容易にすることができる。
【００２０】
【発明の実施の形態】
図１（１）は、本発明の実施の一形態の撮像表示装置１を通信端末装置２に装着した状態で示す正面図であり、図１（２）は通信端末装置２を撮像表示装置２から離脱した状態で示す正面図である。図２は、撮像表示装置１を通信端末装置２に装着した状態を示す斜視図である。通信端末装置２は、たとえば電話機能を有するファクシミリ装置本体として実現され、通信回線を介して画像を含む各種の情報を通信、すなわち送受信可能であり、処理対象としての前記情報を、処理要求に応じて処理する情報通信処理装置である。撮像表示装置１は、情報端末装置の表示パネルとして実現される。
【００２１】
撮像表示装置１は、通信端末装置２に対して、図１（１）に示すように装着して装着状態とすることができるとともに、図１（２）に示すように離脱して離脱状態とすることができる。通信端末装置２には、本体コネクタ４が設けられ、撮像表示装置１には、パネルコネクタ５が設けられる。通信端末装置２には、撮像表示装置１を装着するための装着部６が設けられる。装着部６には、撮像表示装置１を装着したときに、撮像表示装置１に嵌合する嵌合部７が設けられる。
【００２２】
装着状態では、各コネクタ４，５は接続され、通信端末装置２と撮像表示装置１とは電気的に接続され、各コネクタ４，５を介して、通信端末装置２の電源部から撮像表示装置１に電力を供給することができるとともに、通信端末装置２および撮像表示装置１間で、有線通信によって情報および制御指令の送受信が可能である。
【００２３】
撮像表示装置１を通信端末装置２から離脱させると、撮像表示装置１は、装着状態に対応づけして設定されるたとえば第１の動作モードである待機モードから、離脱状態に対応づけして設定されるたとえば第２の動作モードである撮像モードに切換わる。また撮像表示装置１を通信端末装置２に装着すると、撮像表示装置１は、離脱状態に対応づけして設定される前記撮像モードから、装着状態に対応づけして設定される待機モードに切換わる。待機モードとは、撮像表示装置１の動作モードのうち、撮像モードを除く残余のモードを含む。撮像表示装置１の動作モードには、たとえば通信回線を介して受信する着信信号を待ち受ける状態の待ち受け画面を表示する待ち受けモード、およびファクシミリ送信または受信する画面を表示するファクシミリ動作モード、電子メールの送受信を行う画面を表示するメール送受信モード、および後述する再生モードなどが含まれる。
【００２４】
撮像表示装置１を通信端末装置２から離脱させると、撮像表示装置１がどのような動作モードとなっていても、撮像表示装置１は撮像モードとなる。撮像モードとは、後述する撮像部によって撮像を行う動作モードである。
【００２５】
図３は、撮像表示装置１の電気的構成を示すブロック図である。撮像表示装置１は、カメラ部１１、画像処理部１２、表示部１３、入力部であるパネル操作部１４、パネルコネクタ５、撮像データ記憶部１５、パネル通信部１６、電源回路１７、充電池１８、およびパネル制御部１９を含む。
【００２６】
カメラ部１１は、撮像レンズと、電荷結合素子（Ｃｈａｒｇｅ  Ｃｏｕｐｌｅｄ  Ｄｅｖｉｃｅ；略称ＣＣＤ）イメージセンサおよび相補型モス（Ｃｏｍｐｌｅｍｅｎｔａｒｙ  Ｍｅｔａｌ  Ｏｘｉｄｅ  Ｓｅｍｉｃｏｎｄｕｃｔｏｒ；略称ＣＭＯＳ）イメージセンサなどの撮像素子と、増幅部と、アナログ／デジタル（Ａｎａｌｏｇ／Ｄｉｇｉｔａｌ；略称Ａ／Ｄ）変換部とを含む。撮像素子には、赤色（Ｒ），緑色（Ｇ），青色（Ｂ）の３色のカラーフィルタと、マイクロレンズアレイとが設けられている。
【００２７】
カメラ部１１では、被写体で反射され撮像レンズを介して入射した光を、カラーフィルタを通してＲ，Ｇ，Ｂの３色光にして、Ｒ，Ｇ，Ｂの３色光をそれぞれ撮像素子によって電気信号に変換する。そして、Ｒ，Ｇ，Ｂの３色光のそれぞれに対応した電気信号を増幅部によって増幅し、増幅されたＲ，Ｇ，Ｂに対応したアナログの電気信号をＡ／Ｄ変換部によってデジタルの電気信号に変換して、画像データを生成する。前記増幅部およびＡ／Ｄ変換部は、カメラ部１１とは別に設けられてもよい。カメラ部１１は、制御指令に基づいて、そのシャッタスピードおよび増幅率を変更することができる。前記シャッタスピードは、撮像素子における電荷の蓄積時間によって決定される。カメラ部１１は、情報を入力する入力手段である。
【００２８】
画像処理部１２は、カメラ部１１から与えられるデジタルの画像信号である画像データを、表示部１３に適した画像フォーマットに変換する。画像処理部１２は、たとえばデジタルシグナルプロセッサ（Ｄｉｇｉｔａｌ  Ｓｉｇｎａｌ  Ｐｒｏｃｅｓｓｏｒ：略称ＤＳＰ）によって実現される。画像処理部１２は、制御指令に基づいて、カメラ部１１から与えられる画像データを処理し、これによってカメラ部１１で撮像される画像の撮像倍率を変更することができる。前記カメラ部１１および画像処理部１２を含んで撮像部が構成される。
【００２９】
表示部１３は、たとえばカラー表示可能な透過型の液晶表示装置によって実現され、制御指令に基づいて少なくとも前記撮像部によって撮像された画像、および通信端末装置２との通信によって得られる情報を含む所定の情報を表示する。表示部１３は、バックライトを有し、バックライトを点灯させて背後から照明することによって、所定の情報である所定の文字および画像を表示する。また表示部１３は、表示用メモリを有し、この表示用メモリに表示させる画像データを含む表示情報、つまり表示させる所定の情報を一時的に格納する。表示部１３は、たとえば縦方向が２４０画素であり、横方向が３２０画素のＱＶＧＡで表示する。
【００３０】
パネル操作部１４は、後述する図５に示すシャッタボタン５１と十字ボタン５２と十字ボタン５２の中央に配置される中央ボタン５３と機能ボタン５４とを含む。操作者は、シャッタボタン５１、十字ボタン５２、中央ボタン５３および機能ボタン５４のいずれかの操作部位を操作することによって、処理要求を入力することができる。
【００３１】
撮像データ記憶部１５は、撮像表示装置１の筐体内に内蔵され、取り外しは不可である内蔵メモリと、撮像表示装置１の筐体内に収容可能であり、所定のコネクタを介して着脱自在に装着される着脱メモリとを含む。内蔵メモリおよび着脱メモリは、たとえば情報の書き換えが可能なフラッシュメモリなどの半導体装置によって実現される。着脱メモリは、たとえばＳＤメモリカードなどである。撮像データ記憶部１５は、制御指令に基づいて、表示部３の表示メモリに記憶されている画像データを圧縮した状態で記憶する。前記画像データを前記内蔵メモリおよび着脱メモリのいずれに記憶するのかは、操作者によって選択可能に構成される。前記画像データは、後述するパネル制御手段１９によって予め定める圧縮方法、たとえばＪＰＥＧ（Ｊｏｉｎｔ  Ｐｈｏｔｏｇｒａｐｈｉｃ  Ｅｘｐｅｒｔ  Ｇｒｏｕｐ）方式によって圧縮される。本実施の形態では、画像データは、静止画を表す。
【００３２】
撮像表示装置１では、内蔵メモリだけでなく、着脱メモリに画像データを記憶することができるので、より多くの画像データを記憶する、つまりより多くの画像を撮像することができる。また画像データを着脱メモリに記憶して、着脱メモリを他の機器に読取らせることによって、他の機器に画像データを移すことが容易に可能となる。
【００３３】
パネル通信部１６は、たとえばシリアル通信を実現するインタフェース回路によって実現される。本発明の他の実施の形態において、パネル通信部１６は、たとえばユーエスビー（Ｕｎｉｖｅｒｓａｌ  Ｓｅｒｉａｌ  Ｂｕｓ：略称ＵＳＢ）インタフェース回路などのインタフェース回路によって実現してもよい。パネル通信部１６は、後述する本体ＣＰＵ３３とパネル制御部１９との間で制御信号を安定して入出力する。撮像表示装置１が通信端末装置２から離脱した離脱状態では、パネル通信部１６に本体ＣＰＵ３３からの制御信号が入力されないことによって、パネル制御部２０において撮像表示装置１が通信端末装置２から取り外されていると判断する。
【００３４】
パネルコネクタ５は、電力受給用接続手段としての電力受給用端子を有している。撮像表示装置１が通信端末装置２に装着される装着状態では、通信端末装置２の電源から撮像表示装置１の電源回路１７に電力が与えられる。電源回路１７は、通信端末装置２から供給される電力を、撮像表示装置１の前述の各構成に供給することができる。また電源回路１７は、通信端末装置２から供給される電力を電源部である充電池１８に充電することができる。撮像表示装置１が通信端末装置２から離脱される離脱状態では、電源回路１７は、充電池１８の電力を撮像表示装置１の前述の各構成に供給する。このように撮像表示装置１は、この撮像表示装置１の各構成に対する電力供給を、この撮像表示装置１に内蔵の充電池１８に蓄えられている電力および通信端末装置２から供給される電力とに、切換えられる構造である。これによって、撮像表示装置１を通信端末装置２から離脱させた離脱状態であっても、撮像表示装置１の各構成には充電池１８から電力が供給されるので、撮像表示装置１の各構成を動作させることができる。充電池１８は、たとえばニッカド電池またはニッケル水素電池によって実現される。
【００３５】
パネル制御部１９は、中央演算処理ユニット（Ｃｅｎｔｒａｌ  Ｐｒｏｃｅｓｓｉｎｇ  Ｕｎｉｔ：略称ＣＰＵ）と、パネル記憶部とを含む。パネル記憶部は、たとえばＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）を含んで実現され、前記ＲＯＭに待機モードおよび撮像モードでの撮像表示装置１における動作プログラムなど、撮像表示装置１における動作を達成するためのプログラムなどを記憶している。具体的には、シリアル転送方式をサポートするオペレーションシステム（ＯＳ）およびその他の制御プログラムが格納されている。また前記ＲＡＭには、撮像表示装置１における設定情報、たとえば撮像部における撮像倍率に関する情報、露出量に関する情報、およびパネル制御部１９における画像データの圧縮率に関する情報と、通信端末装置２との通信によって得られる情報を含む所定の記憶情報とが記憶される。
【００３６】
パネル制御部１９のＣＰＵは、パネル記憶部に記憶される設定情報に基づき、かつＯＳおよび制御プログラムを読み出して実行することによって、通信端末装置２との通信およびパネル操作部１４による指令入力などを実行できるように、前述の各構成に制御指令を与えて制御する。
【００３７】
パネル制御部１９は、表示部１３の表示メモリに記憶される画像データを撮像データ記憶部１５に記憶させる場合、予め定める圧縮方法によって圧縮し、データ量を小さくした状態で、記憶させる。前記予め定める圧縮方法は、たとえばＪＰＥＧ方式などであり、指令入力に基づいて画像データの圧縮率を変更することができる。
【００３８】
撮像表示装置１は、通信端末装置２に対して着脱可能であり、図１に示すように通信端末装置２に装着し、図２に示すように通信端末装置２から離脱させることができる。撮像表示装置１のパネル操作部１４は、後述する通信端末装置２のキーパネル部２１と同様に、操作者が操作して通信端末装置２への指示、すなわち処理要求を入力することができる。撮像表示装置１が通信端末装置２に装着される装着状態では、各コネクタ４，５が接続されており、情報および制御指令は、通信端末装置２および撮像表示装置１間で有線通信される。
【００３９】
パネル制御部１９は、撮像表示装置１が通信端末装置２から離脱したとき、撮像表示装置１を待機モードから、前記撮像部によって撮像を行う撮像モードに切換える。つまり前記カメラ部１１、画像処理部１２、表示部１３、パネル操作部１４および撮像データ記憶部１５を、撮像モードに対応する機能に切換える。またパネル制御部１９は、撮像表示装置１が通信端末装置２に装着されたとき、撮像表示装置１を撮像モードから、待機モードに切換える。つまり前記カメラ部１１、画像処理部１２、表示部１３、パネル操作部１４および撮像データ記憶部１５を、待機モードに対応する機能に切換える。
【００４０】
これによって撮像表示装置１を通信端末装置２から離脱させるだけで、すぐに撮像部によって撮像可能な状態とすることができる。これによって撮像表示装置１を通信端末装置２から離脱させて、撮像部によって撮像する場合であっても、たとえばパネル操作部１４を操作することによって撮像モードを設定する必要がなく、利便性が向上される。
【００４１】
また待機モードでは、パネル制御部１９は、たとえば前記パネル操作部１４をインターネット接続を実行するための指令入力ボタンとして機能させたり、表示部１３に通信端末装置２との通信によって得られる情報を表示させ、通信端末装置２の表示部として機能させたりする。
【００４２】
撮像表示装置１が通信端末装置２に装着された装着状態であるか、通信端末装置２から離脱した離脱状態であるかの判断は、前述したようにパネル通信部１６に本体ＣＰＵ３３からの制御信号が入力されるどうかを検出して、本体ＣＰＵ３３からの制御信号が入力されないと判断すると、撮像表示装置１が通信端末装置２から取り外されていると判断する。たとえばパネル制御部１９は、パネル通信部１６およびパネルコネクタ５を介して本体ＣＰＵ３３と予め定める一定間隔で通信し、通信不可能であることを検出したときに離脱したと判断する。
【００４３】
本発明の他の実施の形態では、撮像表示装置１に機械的なスイッチを設け、撮像表示装置１が通信端末装置２から離脱したときに前記スイッチの態様が変化するように構成しておき、前記スイッチの態様の変化をパネル制御部１９によって検出することによって、撮像表示装置１が通信端末装置２から離脱しているか否かを判断してもよい。
【００４４】
また撮像表示装置１には、図示しないスピーカ部が設けられ、パネル操作部１４の操作に応じて、予め定める音を発生する。
【００４５】
図４は、通信端末装置２の構成を示すブロック図である。通信端末装置２は、キーパネル部２１、モデム２２、ＮＣＵ（Ｎｅｔｗｏｒｋ  Ｃｏｎｔｒｏｌ  Ｕｎｉｔ）２３、スキャナ部２４、印刷部２５、ハンドセット２６、無線送受信部２７、本体送受信メモリバッファ２８、本体通信部２９、本体プログラム記憶部３１、本体情報記憶部３２および本体ＣＰＵ３３を有し、これら各構成は、本体データバス３４に接続されることによって相互に接続される。また通信端末装置２は、アンテナ３５、本体コネクタ６、給電停止スイッチ回路３６および電源部３７をさらに有する。アンテナ３５は、無線送受信部２７に接続されて設けられる。本体コネクタ４および給電停止スイッチ回路３６は、本体通信部２９に接続され、また本体コネクタ４は、給電停止スイッチ回路３６を介して電源部３７に接続されている。
【００４６】
キーパネル部２１は、ファンクションキー、テンキー、カーソルキーおよび決定キーなどの入力操作用の操作ボタンを含む。操作者は、キーパネル部２１の各操作ボタンを操作することによって、処理対象としての情報を入力し、また情報の処理内容を表す処理要求を入力することができる。情報の処理内容は、たとえば情報の送信および情報の印刷を含む。
【００４７】
モデム２２は、情報および制御指令を含む送受信データを変復調する手段である。ネットワークコントロールユニットであるＮＣＵ２３は、公衆電話交換ネットワークＰＳＴＮの通信回線３８への接続および接続解除を制御し、他の通信装置との通信の開始および終了を制御する。この通信は、情報の送信と情報の受信とを有する。
【００４８】
スキャナ部２４は、原稿を読取るための手段である。読取った原稿の画像は、処理対象の情報である。つまりこのスキャナ部は、キーパネル部２１およびＮＣＵ２２と同様に、情報を入力する手段を構成する。印刷部２５は、情報を印刷する手段である。たとえば他の通信装置から受信した情報を印刷することもできるし、スキャナ部２４で読取った情報を印刷することもできる。この印刷部２５は、情報の出力手段として機能する。スキャナ部および印刷部を用いることによって、画像を複写することができる。
【００４９】
ハンドセット２６は、送話部および受話部を有する。このハンドセット２６の送話部から音声を入力し、受話部から音声を出力する。送話部から入力した音声を他の通信装置に送信することができるし、他の通信装置から受信した音声を受話部から出力することができる。つまりハンドセットを用いて他の通信装置と通話することができる。この音声も処理対象としての情報であり、ハンドセットは、情報の入力手段としての機能および情報の出力手段としての機能を有する。したがってキーパネル部２１、スキャナ部２４およびハンドセット２６を含んで通信端末装置２の入力手段が構成される。
【００５０】
本体無線送受信部２７は、情報および制御指令をアンテナ３５から電波３９として送信することができる。また本体無線送受信部２７は、電波３９として到来する情報および制御指令をアンテナ３５を介して受信することができる。この本体無線送受信部２７およびアンテナ３５は、電話機子機と無線通信するための手段である。
【００５１】
本体送受信メモリバッファ２８は、送受信データを一時的に記憶する手段である。本体プログラム記憶部３１は、リードオンリメモリ（Ｒｅａｄ  Ｏｎｌｙ  Ｍｅｍｏｒｙ：ＲＯＭ）によって実現され、画像の送受信および通話などにおける情報の処理に係る通信端末装置２のルーチンワークなど、通信端末装置２における動作を達成するための制御プログラムを記憶している。
【００５２】
前記制御プログラムには、通信端末装置２を所定の動作モードとするプログラムが含まれる。制御プログラムには、通信端末装置２を、通信回線を介して受信する着信信号を待ち受けモードとするためのプログラム、ファクシミリ送信または受信するファクシミリ動作モードとするためのプログラム、メールの送受信を行うメール送受信モードとするためのプログラム、および留守番電話として動作する留守モードとするためのプログラムなどが含まれる。
【００５３】
本体情報記憶部３２は、ランダムアクセスメモリ（Ｒａｎｄｏｍ  Ａｃｃｅｓｓ  Ｍｅｍｏｒｙ：ＲＡＭ）またはフラッシュメモリなどの書き換え可能なメモリによって実現され、情報を記憶することができる。たとえば、通信端末装置２が留守モードに設定される場合、制御指令に基づいて、この本体情報記憶部３２に通信回線を介して受信した音声情報が記憶される。
【００５４】
本体通信部２９は、たとえばシリアル通信を実現するインタフェース回路によって実現され、本体コネクタ４を介した撮像表示装置１との有線通信を可能にするための手段である。本体通信部２９は、たとえばＵＳＢインタフェース回路などのインタフェース回路によって実現されてもよい。また本体通信部２９は、給電停止スイッチ回路３６にも接続されており、給電停止スイッチ回路３６に動作指令を与えるために用いることができる。
【００５５】
本体ＣＰＵ３３は、本体プログラム記憶部３１に記憶される制御プログラムを読み出して実行することによって、他の装置との通信および撮像表示装置１との通信などを実行できるように、前述の各構成に制御指令を与えて制御する。また本体ＣＰＵ３３は、本体通信部２９を制御して、給電停止スイッチ回路３６を制御することも可能である。
【００５６】
電源部３７は、商用電源に接続可能であり、商用電源から電力を取得して、取得した電力を通信端末装置２を構成する前述の各構成に与えることができる。また電源部３７は、本体コネクタ４が有する電力供給用接続手段としての電力供給用端子を有し、本体コネクタ４を介して撮像表示装置１に電力を供給することが可能である。
【００５７】
この電源部３７と、本体コネクタ４との間に給電停止スイッチ回路３６が介在されている。このスイッチ回路３６は、撮像表示装置１が装着状態にある場合は、本体コネクタ４への電源部３７からの電力供給を許容し、撮像表示装置１が離脱状態にある場合には、本体コネクタ４への電源部３７からの電力供給を停止する。
【００５８】
図２に示すように、撮像表示装置１は、通信端末装置２を略水平な載置面４１に設置した状態で、斜め上方に臨む通信端末装置２の正面部に装着される。したがって、撮像表示装置１に設けられる表示部１３の表示面、およびキーパネル部２１の操作ボタンの操作部位は、斜め上方に臨んでいる。これによって操作者にとって、表示部１３に表示される文字および画像を見やすく、また操作部６を操作しやすい。本実施の形態では、通信端末装置２の正面部は、載置面４１に対してたとえば角度θ１＝４０．４°を成して傾斜する。また装着状態で撮像表示装置１は、前記載置面４１に対してたとえば角度θ２＝４９．４°を成して傾斜する（後述の図９参照）。
【００５９】
撮像表示装置１は、通信端末装置２の幅方向の略中央部に装着され、正面部が臨む側から見て、撮像表示装置１の右側にテンキーなどが配置され、撮像表示装置１の左側にハンドセット２６が配置される。通信端末装置２の背後には、原稿をスキャナ部１８に案内し、記録シートを前記印刷部に案内する案内部材２４が設けられる。
【００６０】
通信端末装置２は、撮像表示装置１を通信端末装置２に装着した状態で、撮像表示装置１の表示部１３に、インターネットに接続されたサーバーに開設されるホームページの内容を、処理対象の情報として扱い、表示させて閲覧することができる。また電子メールの内容を情報として扱い、表示部１３に、電子メールを表示させて確認したり、電子メールを送受信したりすることができる。このように、表示部１３を通信端末装置２の表示部として用いることができる。
【００６１】
また通信端末装置２は、撮像表示装置１によって撮像し、撮像データ記憶部１５に記憶される画像を、たとえば電子メールに添付して送信することができる。また通信端末装置２は、撮像表示装置１で撮像された画像を、通信回線を介して送信することによって、テレビ電話として用いてもよい。
【００６２】
図５は、撮像表示装置１の外観を示す正面図であり、図６は撮像表示装置１の外観を示す背面図である。また図７は、撮像表示装置１を通信端末装置２に装着した装着状態を示す断面図である。
【００６３】
通信端末装置２を載置台に設置して、通信端末装置２に撮像表示装置１に装着した場合に、表示部１３の表示面に沿って上下となる方向を撮像表示装置１の上下として説明する。撮像表示装置１は、板状に形成される略直方体形状の筐体４２を有し、一方側、つまり図５の紙面に垂直な方向手前側に表示部１３の表示面が臨む。前記表示部１３の表示面に臨む側を正面部とする。前記表示部１３の表示面に沿う撮像表示装置１の上下方向の寸法Ｈ１は、たとえば１２０〜１５０ｍｍに選ばれ、表示部の前記上下方向の寸法Ｈ２は、たとえば７０〜１１０ｍｍに選ばれる。前記表示部１３の表示面に沿い、上下方向に垂直な撮像表示装置１の幅方向の寸法Ｗ１は、たとえば１４０〜１７０ｍｍに選ばれ、表示部１３の表示面の前記幅方向の寸法は、たとえば１００〜１３０ｍｍに選ばれる。本実施の形態では、前記Ｈ１＝１３３ｍｍ，Ｈ２＝７６ｍｍ，Ｗ１＝１６１ｍｍおよびＷ２＝１０２ｍｍとしている。このような大きさに構成することによって、従来の技術の電子カメラと比較して、表示部１３に表示される表示情報が見やすく、撮像表示装置１を表示パネルとして好適に用いることができる。
【００６４】
カメラ部１１は、表示部１３の表示面に関して平行な角変位中心軸線Ｌ１まわりに、角変位可能に設けられる。具体的には、カメラ部１１は、撮像表示装置１の筐体４２の上部４３、つまり図５の上部で、前記表示部１３の表示面に平行であって、撮像表示装置１の上下方向に垂直な角変位中心軸線Ｌ１まわりに角変位させることができる。
【００６５】
カメラ部１１は、撮像表示装置１の外周よりも内側に存在する角変位中心軸線Ｌ１まわりに、図７に示す矢符Ａ１，Ａ２方向に角変位可能である。角変位中心軸線Ｌ１は、図７の紙面に垂直であって、撮像表示装置１の幅方向に延びる。この角変位中心軸線Ｌ１は、装着状態においては水平に延びる。カメラ部１１は、撮像レンズ４４が装着されるレンズ装着部４６を有する。このレンズ装着部４６は、カメラ部１１の長手方向中央部に設けられる。
【００６６】
前記カメラ部１１は、前記筐体４２の上部４３に形成される凹所４２Ａに、角変位中心軸線Ｌ１に関して、前記撮像レンズ４４が図５の紙面に垂直手前側に臨む前方撮像位置から上方を臨みながら反転して後方撮像位置に臨む矢符Ａ２方向、および図６の紙面に垂直手前側に臨む前記後方撮像位置から上方を臨みながら反転して前記前方撮像位置に臨む矢符Ａ１方向に角変位可能に収容される。
【００６７】
カメラ１１は、前方撮像位置と後方撮像位置とにわたって上下方向に角変位可能である。上下方向の角変位は、前記角変位中心軸線Ｌ１まわりの角変位と同義である。前方撮像位置は、レンズ装着部４６の上下視野角内の領域４７が角変位中心軸線Ｌ１を含む水平面４８よりも下方に突出した位置である。後方撮像位置は、レンズ装着部４６の上下視野角内の領域４７が角変位中心軸線Ｌ１を含む鉛直面４９に関して反転し前記水平面４８よりも下方に突出した位置である。レンズ装着部の上下方向の視野角θ３はたとえば６９．７°である。
【００６８】
具体的に説明すると、カメラ部１１は、撮像表示装置１の筐体４２に対して前記角変位中心軸線Ｌ１まわりにたとえば約２２０°の範囲で角変位可能である。しかもカメラ部１１は、撮像表示装置１の正面に臨む前面に垂直な法線方向に光軸Ｌ１１を向けた垂直撮像位置から図７の矢符Ａ１方向にたとえば角度θ１１＝４０．６°角変位することができる。前記垂直撮像位置から矢符Ａ１方向に角度θ１１＝４０．６°角変位した位置が、前記前方撮像位置である。また前記前方撮像位置から図７の矢符Ａ２方向にたとえば角度θ１２＝２２０°角変位した位置が、前記後方撮像位置である。
【００６９】
撮像表示装置１を、通信端末装置２に装着した装着状態では、前述したように撮像部による撮像範囲が、通信端末装置２の正面と背後の一部を含む領域に限られる。しかしながら、撮像表示装置１は、通信端末装置２から離脱した離脱状態として撮像することができるので、通信端末装置２にカメラ部１１が固定される場合と比較して、撮像範囲が広がり、さまざまな画像を撮像することが可能となる。
【００７０】
撮像表示装置１の一方側、つまり正面側には、前述したシャッタボタン５１、十字ボタン５２、中央ボタン５３および機能ボタン５４の操作部位が臨む。シャッタボタン５１の操作部位は、表示部１３の表示面が臨む側から見て、表示部１３の右側で、かつ撮像表示装置１の上下方向の上部４３寄りに配置される。十字ボタン５２および中央ボタン５３の操作部位は、表示部１３の表示面が臨む側から見て、表示部１３の右側で、かつ撮像表示装置１の上下方向の略中央に配置される。
【００７１】
図８は、十字ボタン５２および中央ボタン５３の操作部位を拡大して示す図である。十字ボタン５２には、上ボタン５２ａ、下ボタン５２ｂ、右ボタン５２ｃおよび左ボタン５２ｄが含まれる。十字ボタン５２の操作部位は、円環形状を有し、上ボタン５２ａ、下ボタン５２ｂ、右ボタン５２ｃおよび左ボタン５２ｄに対応する位置に、突起部５５ａ〜５５ｄがそれぞれ設けられる。撮像表示装置１の表示面の臨む側から見て、上ボタン５２ａは十字ボタン５２の上部に位置し、下ボタン５２ｂは十字ボタン５２の下部に位置し、右ボタン５２ｃは十字ボタン５２の右部に位置し、左ボタン５２ｄは十字ボタン５２の左部に位置している。各突起部５５ａ〜５５ｄを操作する、すなわち押圧することによって、上ボタン５２ａ、下ボタン５２ｂ、右ボタン５２ｃおよび左ボタン５２ｄに対応した指令をパネル制御部１９に与えることができる。
【００７２】
中央ボタン５３の操作部位は、前述した上ボタン５２ａ、下ボタン５２ｂ、右ボタン５２ｃおよび左ボタン５２ｄの操作部位の中央に設けられる。中央ボタン５３の操作部位を操作する、すなわち押圧することによって、中央ボタン５３に対応した指令をパネル制御部１９に与えることができる。
【００７３】
機能ボタン５４の操作部位は、シャッタボタン５１の操作部位の近傍に配置される。機能ボタン５４の操作部位を操作する、すなわち押圧することによって、機能ボタンに対応した指令をパネル制御部１９に与えることができる。
【００７４】
このように、シャッタボタン５１と、十字ボタン５２および中央ボタン５３と、機能キー５４との操作部位は、表示部１３の表示面の右側で、近接する位置に配置されている。たとえば、操作者が撮像表示装置１のパネル操作部１４を操作する場合に、片手でシャッタボタン５１と、十字ボタン５２および中央ボタン５３と、機能ボタン５４とを操作することができ、操作性が向上される。また各ボタンを表示パネル５３の予め定める領域に集めて配置することによって、各ボタンを同じ基板上に形成することができ、生産性が向上される。
【００７５】
撮像表示装置１の背面部５６には、把持位置案内部５７が設けられる。把持位置案内部５７は、背面部５６の左右方向の両端部に上下方向に延びる凹所５７ａによって実現される。前記凹所５７ａは、撮像表示装置１の上下方向の中央部近傍から下部にわたって形成される。このような凹所５７ａを設けることによって、操作者は撮像表示装置１を把持して撮像するときに、把持しやすく、これによって撮像表示装置１の落下を防止することができる。
【００７６】
本発明の実施の他の形態において、把持位置案内部５７は、前記凹所５７ａが設けられる位置に、たとえばゴム部材などの摩擦係数の大きな部材を配置して形成してもよく、また前記凹所５７ａが設けられる位置の表面を粗面に加工することによって実現してもよい。
【００７７】
前記背面部５６の中央部には、パネルコネクタ５が形成される。パネルコネクタ５の下方で、撮像表示装置１の下部には、通信端末装置２の装着部６に設けられる嵌合部７に嵌合する被嵌合部５８が設けられる。撮像表示装置１を通信端末装置２に装着したときに、被嵌合部５８を、前記嵌合部７に嵌合させることによって、撮像表示装置１を通信端末装置２に安定して保持させることができる。
【００７８】
操作者が撮像表示装置１を把持する場合、前記凹所５７に指を引っ掛けることによって、撮像表示装置１の背面部５６に設けられるパネルコネクタ５に、操作者の手指が接触することを防止することができる。本発明の実施の他の形態では、撮像表示装置１を通信端末装置２から離脱させたときに、前記パネルコネクタ５を覆うカバー体を撮像表示装置１に設ける構成としてもよい。これによって、パネルコネクタ５に埃および塵などが付着することが防止される。
【００７９】
図９は、撮像表示装置１を通信端末装置２から離脱させたときの表示部１３の表示画面６１を示す図である。撮像表示装置１を通信端末装置２から離脱させ離脱状態とすると、パネル制御部１９は、撮像表示装置１を待機モードから撮像モードに切換える。つまりパネル制御部１９は、撮像表示装置１の各部を制御して撮像モードに対応する機能に切り替え、撮像部によって撮像可能な状態とする。パネル制御部１９は、撮像モードに切換えたとき、カメラ部１１、画像処理部１２および表示部１３に制御指令を与え、カメラ部１１によって撮像された画像を表示部１３に表示させる。
【００８０】
またパネル制御部１９は、撮像モードにおいて、表示部１３の表示画面６１上部に、ステータスバー６２を表示させる。ステータスバー６２には、撮像表示装置１の状態を表す情報が表示されている。表示パネルの状態を表す情報には、設定情報が含まれる。ステータスバー６２には、具体的には充電池１８の状態を表す電源状態表示領域６３と、撮像する画像の画質を表す画質表示領域６４、撮像された画像を記憶する場所を表す記憶場所表示領域６５、撮像可能な画像の枚数を表す撮像可能枚数表示領域６６と、撮像倍率を表す撮像倍率表示領域６７と、基準値に対する画像の明るさを表す露出表示領域６８とが設けられる。
【００８１】
電源状態表示領域６３には、充電池の残容量が表示される。前記残容量の表示は、たとえば充電池の大まかな残容量を表す記号によって表される。
【００８２】
画質表示領域６４には、画像データ記憶部１５に記憶される画像の画質を表す設定情報が表示される。撮像する画像の画質は、たとえば予め定める設定状態である「ノーマル」と、この「ノーマル」よりも画質が向上される「ファイン」とがある。標準モードが設定されている場合には、「ノーマル」と表示され、高画質モードが設定されている場合には、「ファイン」と表示される。具体的には、標準モードと高画質モードとでは、撮像データ記憶部１５に記憶する画像データの圧縮率が異なる。初期設定では、標準モードに設定され、パネル操作部１４の操作によって設定を変更することができる。前記設定情報は、パネル制御部１９に記憶される。高画質モードでは、パネル制御部１９は、標準モードの場合よりも画像の圧縮率を小さくして、圧縮した画像データを解凍する場合に、画像の劣化がより少ない状態となるように画像データを画像データ記憶部１５に記憶させる。図９では、高画質モードを示す「ファイン」が表示されている。
【００８３】
記憶場所表示領域６５には、画像データを記憶する記憶場所の設定情報が表示される。具体的には、記憶場所が内蔵メモリである場合には、内蔵メモリであることを示す記号が表示され、記憶場所が着脱メモリである場合には、着脱メモリを表す記号が表示される。たとえば着脱メモリとしてＳＤカードを用いる場合には、図８に示すように、画像データが記憶される場所が、着脱メモリであることを表す記号「ＳＤ」が表示さる。記憶場所の設定情報は、パネル制御部１９に記憶されている。
【００８４】
撮像可能枚数表示領域６６には、撮像可能な画像の枚数を表す数字「ｎ」（ｎは、０を含む正の整数）が表示される。この撮像可能枚数表示領域６６には、前述した記憶場所表示領域６５に表示されている記憶場所における、記憶可能な画像の枚数が表示される。
【００８５】
撮像倍率表示領域６７には、撮像倍率の設定情報が表示される。撮像倍率は、予め定める基準値、および予め定める基準値のｍ（ｍは、１より大きな正の数）倍に設定することができ、本実施の形態では、たとえば基準値の２倍または４倍に設定することができる。撮像倍率表示領域６７には、撮像倍率が基準値の場合には、「標準」と表示され、２倍の場合には、「×２」と表示され、４倍の場合には、「×４」と表示される。撮像倍率の設定情報は、パネル制御部１９に記憶されている。
【００８６】
露出表示領域６８には、露出の状態を表す設定情報が表示される。露出量は、予め定める基準値、および予め定める基準値から明るくなる方向にｐ（ｐは、１よりも大きな正の整数）段階、また予め定める基準値から暗くなる方向にｑ（ｑは、１よりも大きな正の整数）段階に設定することができる。本実施の形態では、予め定める基準値から明るくなる方向に２段階、予め定める基準値から暗くなる方向に２段階変更することができ、合計５つの露出量から任意に設定することができる。露出量の設定において、まず予め定める基準値を決定しておき、画像を明るくする場合には、前記予め定める基準値を明るくなる方向に変化させ、画像を暗くする場合には、前記予め定める基準値を暗くなる方向に変化させる。露出の状態を表す設定情報は、パネル制御部１９に記憶される。
【００８７】
前記露出量は、カメラ部１１のシャッタスピードおよび増幅率を変更することによって変更することができる。
【００８８】
露出表示領域６８には、露出量が基準の場合には、「±０」と表示され、基準から１段階明るい場合には、「＋１」と表示され、２段階明るい場合には「＋２」と表示される。また標準から１段階暗い場合には、「−１」と表示され、２段階暗い場合には「−２」と表示される。
【００８９】
本実施の形態では、表示画面６１に向かって左から順番に、電源状態表示領域６３、画質表示領域６４、記憶場所表示領域６５、撮像可能枚数表示領域６６、撮像倍率表示領域６７、および露出表示領域６８が順番に並んで表示されているが、本発明の実施の他の形態において、前記ステータスバー６２の各表示領域の並びは前述の順番に限らず、たとえば電源状態表示領域６３が表示画面６１に向かって最も右に設けられてもよい。このように、表示画面６１にステータスバー６２を設けることによって、操作者は、撮像モードでの撮像表示装置１の状態を即座に把握することができる。
【００９０】
前記ステータスバー６２の下部には、カメラ部１１によって撮像された画像が表示される。前記ステータスバー６２の各表示領域に表示される記号、および文字を除く領域にも、撮像された画像が表示されるように構成してもよく、またステータスバー６２は、所定の操作ボタンを操作することによって、表示させる構成であってもよい。
【００９１】
またパネル制御部１９は、撮像モードに切換えたとき、パネル操作部１４を、カメラ部１１および表示部１３のうち少なくとも一方への指令を入力可能な撮像指令入力機能に設定する。具体的には、パネル制御部１９は、十字ボタン５２のうち右ボタン５２ｃおよび左ボタン５２ｄを撮像される画像の倍率を変更する倍率変更の指令入力ボタンとして機能させ、十字ボタン５２のうち上ボタン５２ａおよび下ボタン５２ｂを画像の明るさを変更する露出変更の指令入力ボタンとして機能させ、また前記中央ボタン５３を画像を上下に反転させる指令入力ボタンとして機能させる。
【００９２】
さらに具体的にはパネル制御部１９は、前記右ボタン５２ｃを撮像倍率を増加させる指令入力ボタンとして機能させ、左ボタン５２ｄを撮像倍率を減少させる指令入力ボタンとして機能させ、上ボタン５２ａを露出量を増加させる指令入力ボタンとして機能させ、下ボタン５２ｂを露出量を減少させる指令入力ボタンとして機能させる。
【００９３】
またパネル制御部１９は、撮像モードでは、中央ボタン５３を表示部１３に表示される画像の上下を反転させる指令入力ボタンとして機能させる。
【００９４】
図１０は、撮像表示装置１を通信端末装置２から離脱させ、撮像モードとしたときのパネル操作部１４の機能を説明する図である。前述したように撮像表示装置１を通信端末装置２から離脱させると、パネル制御部１９が撮像表示装置１を待機モードから撮像モードに切換え、図１０（１）に示すような表示画面６１が表示される。図１０（１）に示す表示画面は、前述した図９に示す表示画面６１である。表示画面６１には、カメラ部１１によって撮像された画像が表示されている。
【００９５】
図１０（１）に示すように、表示画面６１に、カメラ部１１によって撮像された画像が表示されている状態で、シャッタボタン５１を操作すると、パネル制御部１９によって、シャッタボタン５１が操作されたときに表示部１３の表示メモリに記憶されている画像データの撮像データ記憶部１５への記憶が開始される。本実施の形態では、画像データは、静止画を表す。このように撮像モードにおいて、パネル制御部１９は、シャッタボタン５１を撮像された画像データを撮像データ記憶部１５に記憶させる指令入力ボタンとして機能させる。
【００９６】
図１０（２）は、前記画像データを撮像データ記憶部１５に記憶する間の表示画面６１を示す図である。表示画面６１には、「データ保存中  しばらくお待ちください」というメッセージが表示される。このとき、パネル制御部１９では、画像データを設定されている圧縮率で圧縮する。図１０（２）では、画質表示領域６４に「ファイン」と表示されているので、パネル制御部１９は、高画質モードで画像データを圧縮する。また、記憶場所表示領域６５に「ＳＤ」と表示されているので、パネル制御部１９は、着脱メモリに画像データを記憶させる。
【００９７】
図１０（３）は、画像データの撮像データ記憶部１５への記憶が完了したときの表示画面６１を示す図である。画像データの撮像データ記憶部１５への記憶が完了すると、表示画面６１には、「保存しました  残り（ｎ−１）枚」という画像データの撮像データ記憶部１５への記憶が完了したことを示すメッセージと、撮像可能な静止画の枚数を表す情報とが表示される。これによって操作者は、画像データが保存されたこと、および撮像可能な静止画の枚数を知ることができる。画像データの撮像データ記憶部１５への記憶が完了すると、再び図１０（１）に示す表示画面６１に遷移する。ただし、撮像可能枚数表示領域６６の数字は、ｎ−１となる。
【００９８】
図１０（４）は、図１０（１）に示す状態で、右ボタン５２ｃを操作したときの表示画面６１を示す図である。前述したように撮像モードでは、パネル制御部１９は、十字ボタン５２のうち右ボタン５２ｃを撮像倍率を増加させる指令入力ボタンとして機能させるので、右ボタン５２ｃを操作することによって、パネル制御部１９に撮像倍率を増加させる指令、つまりズームアップの指令が与えられる。撮像倍率を増加させることができる場合、表示画面６１には、撮像倍率が変更された画像が表示される。撮像倍率表示領域６７には、撮像倍率が変更された場合に、変更された撮像倍率の情報が表示される。
【００９９】
本実施の形態では、右ボタン５２ｃを１回押下することによって、表示画面６１に現在表示されている画像、つまり右ボタン５２ｃが押下される前に表示されている画像を２倍に拡大して表示画面６１に表示する。
【０１００】
撮像倍率の変更は、パネル制御部１９からの指令に基づいて、画像処理部１２によって実行される。撮像倍率の変更は、基準値から２倍に変更する場合には、トリミングによって実現され、２倍から４倍に変更する場合には、撮像倍率が２倍のときの画像を２倍に拡大するとともに、画像データをソフトウェアによって補完する。
【０１０１】
図１０（１）に示す状態では、撮像倍率が「標準」であるので、右ボタン５２ｃを１回を押下すると、撮像倍率が２倍となり、図１０（４）に示すように、撮像倍率表示表域６７には、「×２」が表示される。撮像倍率が最大倍率である場合、つまり本実施の形態では、撮像倍率が４倍である場合には、右ボタン５２ｃを操作しても、その指令をパネル制御部１９ははね付ける、つまり受け付けない。
【０１０２】
図１０（５）は、図１０（１）に示す状態で、左ボタン５２ｄを操作したときの表示画面６１を示す図である。前述したように撮像モードでは、パネル制御部１９は、十字ボタン５２のうち左ボタン５２ｄを撮像倍率を減少させる指令入力ボタンとして機能させるので、左ボタン５２ｄを操作することによって、パネル制御部１９に撮像倍率を減少させる指令、つまりズームダウンの指令が与えられる。撮像倍率を減少させることができる場合、表示画面６１には、撮像倍率が変更された画像が表示される。撮像倍率表示領域６７には、撮像倍率が変更された場合に、変更された倍率の情報が表示される。
【０１０３】
図１０（１）に示す状態では、撮像倍率が「標準」であり、最低倍率であるので、左ボタン５２ｄを操作しても、その指令をパネル制御部１９は受け付けない。撮像倍率が２倍のときには、左ボタン５２ｄを１回押下すると、撮像倍率が１／２に変更され、撮像倍率は標準となる。また撮像倍率が４倍のときには、撮像倍率は２倍に変更される。
【０１０４】
図１０（６）は、図１０（１）に示す状態で、上ボタン５２ａを操作したときの表示画面６１を示す図である。前述したように撮像モードでは、パネル制御部１９は、十字ボタン５２のうち上ボタン５２ａを、露出量を増加させる指令入力ボタンとして機能させるので、上ボタン５２ａを操作することによって、パネル制御部１９に露出量を増加させる指令、つまり撮像される画像を明るくする指令が与えられる。露出量を増加させることができる場合、表示画面６１には、露出量が変更された画像が表示される。露出表示領域６８には、露出量が変更された場合に、変更された露出状態を表す情報が表示される。
【０１０５】
図１０（１）に示す状態では、露出量が「±０」であるので、上ボタン５２ａを１回押下すると、露出量が１段階増加し、図１０（６）に示すように露出表示領域６８には、「＋１」が表示される。露出量が最大（ＭＡＸ）である場合、つまり本実施の形態では、露出量が標準の場合よりも２段階増加すると、上ボタン５２ａを操作しても、その指令をパネル制御部１９は受け付けない。
【０１０６】
図１０（７）は、図１０（１）に示す状態で、下ボタン５２ｂを操作したときの表示画面６１を示す図である。前述したように撮像モードでは、パネル制御部１９は、十字ボタン５２のうち下ボタン５２ｂを、露出量を減少させる指令入力ボタンとして機能させるので、下ボタン５２ｂを操作することによって、パネル制御部１９に露出量を減少させる指令、つまり撮像される画像を暗くする指令が与えられる。露出量を減少させることができる場合、表示画面６１には、露出量が変更された画像が表示される。露出表示領域６８には、露出量が変更された場合に、変更された露出状態を表す情報が表示される。
【０１０７】
図１０（１）では、露出量が「±０」であるので、下ボタン５２ｂを１回押下すると、露出量が１段階減少し、図１０（７）に示すように、露出表示領域６８には、「−１」が表示される。露出量が最小（ＭＩＮ）である場合、下ボタン５２ｂを操作しても、その指令をパネル制御部１９は受け付けない。
【０１０８】
図１０（８）は、図１０（１）に示す状態で、中央ボタン５３を操作したときの表示画面６１を表す図である。撮像モードでは、パネル制御部１９は、中央ボタン５３を表示部１３に表示される画像の上下を反転させる指令入力ボタンとして機能させるので、中央ボタン５３を操作すると、パネル制御部１９に、表示部１３に表示される画像の上下を反転させる指令が与えられる。
【０１０９】
パネル制御部１９に、表示部１３に表示される画像の上下を反転させる指令が与えられると、パネル制御部１９は画像処理部１２および表示部１３を制御して、表示部１３の表示メモリに画像データを書き込む順番を逆にする。これによって、表示メモリに記憶される画像データを表示部１３に表示させると、撮像部によって撮像された画像の上下が逆に表示される。前記カメラ部１１は、前述したように角変位中心軸線Ｌ１まわりに角変位可能に設けられているので、撮像面を表示部１３の表示面が臨む側に向けて撮像した場合と、前記撮像面を表示部１３が臨む側とは反対側に向ける場合とでは、表示部１３に撮像される画像の上下方向が逆になってしまう。しかしながら、撮像モードにおいて、中央ボタン５３を操作することによって、表示部１３に表示させる画像の上下を反転させることができる。したがって、撮像の自由度が向上する。また、カメラ部１１の軸線まわりの変位をセンサなどによって検出して表示部１３に表示させる画像を反転させる場合と比較して、装置を簡素化することができ、これによって撮像表示装置１の製造工程を少なくして、生産性を向上させることができる。
【０１１０】
以上のように、撮像モードのときには、明るさ、倍率および上下反転のように、操作者による使用頻度の高い機能をパネル操作部１４からの入力によって、直接変更することができるようになり、操作性が向上される。
【０１１１】
図１０（１０）は、図１０（１）に示す状態で、機能ボタン５４を予め定める時間操作したときの表示画面６１を示す図である。撮像モードにおいて、機能ボタン５４を長押しする、つまり予め定める時間Ｔ以上の間にわたって押下したときは、パネル制御部１９は、機能ボタン５４を表示部１３の電源の入切の指令入力ボタンとして機能させる。このように機能ボタン５４は、表示部１３の電源ボタンを兼ねており、機能ボタン５４を長押しすることによって、表示パネル１３を動作停止モードにすることができる。動作停止モードでは、パネル制御部１９は、バックライトに電力を供給しないように制御する。動作停止モードのときに、パネル操作部１４の任意のボタンの押下によって、バックライトに電力が供給され、パネル制御部１９は撮像表示装置１を撮像モードにする。前記予め定める時間Ｔは、たとえば３秒である。
【０１１２】
図１０（１）に示す状態で、機能ボタン５４を長押しした場合には、図１０（１０）に示すように、パネル制御部１９は、表示部１３のバックライトへの電力の供給を停止する。また、図１０（１０）に示すバックライトへの電力の供給が停止された状態で、前記任意のボタンを押下した場合には、図１０（１）に示すように、パネル制御部１９は、表示部１３へのバックライトへの電力の供給を再開し、表示部１３にカメラ部１１で撮像された画像が表示される。このように、撮像モードにおいて、バックライトへの電力の供給を停止することができるので、撮像表示装置１を通信端末装置２から離脱した状態で、充電池１８の消費電力を小さくすることができ、長時間の持ち運びが可能となる。
【０１１３】
パネル制御部１９は、タイマを有し、撮像モードにおいて予め定める時間、パネル操作部１４から指令が入力されない場合には、表示部１３のバックライトをオフするように表示部１３を制御してもよい。
【０１１４】
撮像モードにおいて、パネル制御部１９は、撮像モードにおいて、機能ボタン５４を前記予め定める時間Ｔ未満で押下したときは、パネル制御部１９は、機能ボタン５４を、メニュー表示モードに切換える指令入力ボタンとして機能させる。
【０１１５】
図１０（１）に示す状態で、機能ボタン５４を予め定める時間Ｔよりも短い間押下すると、パネル制御部１９は表示部１３に制御指令を与え、表示部１３の表示画面６１には、メニュー７１が表示される。前記メニュー７１には、複数のモードの中から希望するモードを選択するための複数のモード選択表示ボタン７２が設けられている。
【０１１６】
図１１（１）〜（１０）は、メニュー表示モードにおける表示画面６１を示す図である。前述したように、機能ボタン５４を操作すると、図１１（１）に示すメニュー７１が表示される。メニュー７１には、カメラ機能、すなわち撮像モードにおいて設定可能な動作モードを選択する複数のモード選択表示ボタン７２が設けられる。図１１において、記号［↑］は、上ボタン５２ａを操作することを表し、記号［↓］は、下ボタン５２ｂを操作することを表す。
【０１１７】
図１１（１）に示すように、モード選択表示ボタン７２として、「１．撮像／再生切替」、「２．一覧／フル画面表示切替」、「３．画質選択」、「４．消去」、「５．メモリ選択」が表示される。前記モード選択表示ボタン７２のうち、選択されているものの下部には、下線が表示され、これによって操作者は、どのモード選択表示ボタン７２が選択されているかを判断することができる。図１１（１）に示す表示画面６１では、「１．撮像／再生切替」の下部に下線が表示され、この「１．撮像／再生切替」が選択されている状態である。モード選択表示ボタン７２は、表示画面６１の上下方向に並んで表示される。
【０１１８】
メニュー表示モードにおいて、パネル制御部１９は、十字ボタン５２をモード選択表示ボタン７２を選択する指令入力ボタン、つまりモード選択操作ボタンとして機能させる。十字ボタン５２のうち、上ボタン５２ａまたは下ボタン５２ｂを操作することによって、前記下線を移動させて、上下方向に並ぶモード選択表示ボタン７２を順番に選択することができる。またメニュー表示モードにおいて、パネル制御部１９は、中央ボタン５３を選択したモード選択表示ボタン７２を決定する指令入力ボタンとして機能させる。
【０１１９】
モード選択表示ボタン７２のうち「１．撮像／再生切替」は、撮像モードまたは再生モードを選択するため表示選択メニューに移行するためのボタンである。表示選択メニューにおいて、再生モードを選択すると、パネル制御部１９は、前記撮像データ記憶部１５に記憶されている画像データを表示部１３に表示させる。
【０１２０】
モード選択表示ボタン７２のうち「２．一覧／フル画面表示切替」は、再生モードにおいて、表示部１３の表示画面６４に撮像データ記憶部１５に記憶されている画像データの一覧を表示させるのか、あるいはそのうちの一枚を表示させるのかを選択する再生表示選択メニューに移行するためのボタンである。
【０１２１】
モード選択表示ボタン７２のうち「３．画質選択」は、撮像される画像の画質を標準モードとするか、または高画質モードとするかを選択するため画質選択メニューに移行するためのボタンである。
【０１２２】
モード選択表示ボタン７２のうち「４．消去」は、撮像データ記憶部１５に記憶される画像データを消去する消去メニューに移行するためのボタンである。
【０１２３】
モード選択表示ボタン７２のうち「５．メモリ選択」は、撮像された画像データを、内部メモリに記憶させるのか、または装着メモリに記憶させるのかを選択するためのメモリ選択メニューに移行するためのボタンである。
【０１２４】
モード選択表示ボタン７２の下方には、操作の方法が表示される。たとえば十字ボタン５２であることを示す記号「＋」を用いて、たとえば十字ボタン５２で選択することを示唆する「［＋］で選択」が表示され、中央ボタン５３で決定することを示唆する「［決定］で決定」が表示される。このように操作方法を同時に表示されるので、操作者にとって操作しやすくなる。
【０１２５】
メニュー表示モードでは、十字ボタン５２の上ボタン５２ａまたは下ボタン５２ｂを操作することによって、複数のモード選択表示ボタン７２のうちの１つを選択することができる。たとえば、図１１（１）に示す表示状態から、下ボタン５２ｂを操作すると、「２．一覧／フル画面表示切替」の下部に下線が移動し、表示画面６１は、図１１（２）に示す表示状態となる。
【０１２６】
同様に下ボタン５２ｂを操作することによって、図１１（３）〜図１１（５）に示すように順番にモード選択表示ボタン７２を選択することができる。
【０１２７】
表示画面６１が、図１１（５）に示す状態となっているときに、さらに下ボタン５２ｂを操作すると、図１１（６）に示すように、「１．撮像／再生切替」が表示画面６１から消去され、「６．再生先選択」が新たに表示される。モード選択表示ボタン７２の数によっては表示画面６１に一度に表示させてしまうと、それぞれのモード選択表示ボタン７２が小さく表示され、モード選択表示ボタン７２の文字が小さくなってしまう場合があるが、表示画面６１にはモード選択表示ボタン７２の一部を表示させ、一度に表示されない残余のモード選択表示ボタン７２は、上ボタン５２ａまたは下ボタン５２ｂを操作することによって、表示させることができる。これによって、メニューにおいて選択可能なモードの数にかかわらず、操作者が文字を見やすい大きさにモード選択表示ボタン７２を設定することができる。メニュー選択表示ボタン７２のうち「６．再生先選択」は、再生モードにおいて再生する画像が記憶されている撮像データ記憶部１５を選択する再生先選択メニューを表示させるボタンである。
【０１２８】
同様に、表示画面６１が図１１（６）に示す状態で、さらに下ボタン５３ｂを操作すると、図１１（７）に示すように「２．一覧／フル画面表示切替」が表示画面６１から消去され、「７．スライドショー」が新たに表示される。メニュー選択表示ボタン７２のうち「７．スライドショー」は、再生モードにおいて、撮像データ記憶部１５に記憶される画像を、順番に表示させるか否かを選択するスライドショー選択メニューに移行するためのボタンである。
【０１２９】
また表示画面６１が図１１（７）に示す状態で、さらに下ボタン５３ｂを操作すると、図１１（８）に示すように「３．画質選択」が表示画面６１から消去され、「８．オートパワーオフ」が新たに表示される。メニュー選択表示ボタン７２のうち「８．オートパワーオフ」は、設定後一定時間が経過した後に、表示部１３のバックライトの電源をオフにするか否かを選択するオートパワーオフ選択メニューに移行するためのボタンである。
【０１３０】
また表示画面６１が図１１（８）に示す状態で、さらに下ボタン５３ｂを操作すると、図１１（９）に示すように「４．消去」が表示画面から消去され、図１１（９）に示すように「９．キータッチ音」が表示される。メニュー選択表示ボタン７２のうち「９．キータッチ音」は、パネル操作部１４の各ボタンを操作したときに、スピーカ部から発せられる音の有無を選択するためのキータッチ音選択メニューに移行するためのボタンである。
【０１３１】
また表示画面６１が図１１（９）に示す状態で、さらに下ボタンを操作すると、図１１（１０）に示すように「５．メモリ選択」が表示画面６１から消去され、「戻る」が新たに表示される。メニュー選択表示ボタン７２のうち「戻る」は、メニュー表示モードから図１０（１）に示す撮像モードに戻るためのボタンである。図１１（１０）に示す状態で、さらに下ボタン５３ｂを操作すると、再び図１１（１）の表示状態となる。
【０１３２】
また表示画面６１が、図１１（１）に示す表示状態で、上ボタン５３ａを操作すると、図１１（１０）に示す状態となる。さらに上ボタン５３ａを操作すると、上ボタンを１回押下するごとに、順番に図１１（９）、図１１（８）、図１１（７）、図１１（６）、図１１（５）、図１１（４）、図１１（３）、図１１（２）および図１１（１）に示すように表示画面６１が表示される。
【０１３３】
たとえば、表示画面６１が図１１（３）に示す状態、つまり「３．画質選択」の下部に下線が表示されている状態で、中央ボタン５３を操作すると、表示画面６１には画質選択メニュー７３が表示される。
【０１３４】
図１２（１）は、表示画面６１に表示される画質選択メニュー７３を示す図である。画質選択メニュー７３では、「１．ファイン」および「２．ノーマル」のモード選択表示ボタン７２が表示される。モード選択表示ボタン７２の下部には下線が表示され、上ボタン５２ａまたは下ボタン５２ｂを操作することによって、下線を移動させてモード選択表示ボタン７２を選択する。図１２（１）では、「１．ファイン」が選択されている。図１２（１）に示す状態で、中央ボタン５３を操作すると、図１２（２）に示すように、「ファインに設定しました」と言うメッセージが表示画面６１に表示され、高画質モードが設定される。設定が完了すると、再び図１０（３）に示す表示状態となる。
【０１３５】
機能ボタン５４が操作され、メニュー表示モードになったときに、まず表示されるモード選択表示ボタン７２には、撮像時に使用頻度の高いものを配置しておくことによって、操作性がさらに向上される。
【０１３６】
前述したように、また十字キー５２は、撮像モードのときに撮像倍率および露出量を変更する指令入力ボタンとして機能し、さらにメニュー表示モードのとき、モード選択表示ボタンを変更するボタンとして機能する。中央ボタン５３は、撮像モードのときに表示画面６１に表示される画像の上下を反転させる指令入力ボタンとして機能し、メニュー表示モードのとき、メニューのうちの動作モードを決定する指令入力ボタンとして機能させる。
【０１３７】
このように、十字ボタン５２および中央ボタン５３は、通信端末装置２の動作モードに応じて、その機能が変更される、つまり操作されることによってパネル制御部１９に与えられる指示の内容が変更される。したがって、撮像表示装置１には、撮像モードで必要なボタンのみが設け、機械的なボタンの数を可及的少なく構成することができる。したがって、装置のハードウェア構成を簡略化することができ、部品数を低減して装置の組み立てを容易にすることができる。
【０１３８】
また、パネル制御部１９は、撮像表示装置１を通信端末装置２に装着されているときには、前記中央ボタン５３をインターネット接続を実行するための指令入力ボタンとして機能させる。撮像表示装置１を通信端末装置２に装着した状態で、中央ボタン５３を押下すると、パネル制御部１９は、本体ＣＰＵ３３と通信し、本体ＣＰＵ３３は、装置の各部を制御して、通信端末装置２をインターネットに接続する動作モードとする。
【０１３９】
図１３（１）は、再生モードでの表示画面６１を示す図である。再生モードが選択されると、パネル制御部１９は、前記撮像データ記憶部１５に記憶されている画像データを画像８１として表示部１３に表示させる。パネル制御部１９は、表示部１３の表示画面６１に、複数の画像８１を表示させる。前記複数の画像８１は、所定の間隔をあけて表示される。図１３（１）では、たとえば撮像データ記憶部１５に記憶される「ＡＢＣ」「ＤＥＦ」「ＧＨＩ」「ＪＫＬ」「ＭＮＯ」のつの画像８１が表示された状態を示している。画像８１は、マトリクス状に表示され、本実施の形態では、表示画面６１の幅方向に最大３つの画像８１が並んで配置され、表示画面６１の上下方向に最大２つの画像８１が並んで配置される。
【０１４０】
それぞれの画像８１には、撮像された順番にＩＤ番号が付与され、画像データとともに画像データ記憶部１５に記憶されている。たとえば、画像「ＡＢＣ」のＩＤ番号は「００１−０００１」である。表示画面６１には、画像８１とともに、各画像８１に対応して前記ＩＤ番号が表示される。ＩＤ番号は、たとえば各画像８１の下方に表示される。表示されている画像８１のうち選択されている画像８１は、太枠線８２によって囲まれる。これによって操作者は、選択されている画像が分かる。
【０１４１】
再生モードにおいて、パネル制御部１９は、パネル操作部１４を表示部１３および画像データ記憶部１５のうち少なくとも一方への指令を入力可能な再生指令入力機能に設定する。具体的には、再生モードにおいてパネル制御部１９は、データ記憶部１５に記憶される画像を選択する指令入力ボタン、つまり画像選択操作ボタンとして機能させる。これによって十字ボタン５２のうち、上ボタン５２ａ、下ボタン５２ｂ、右ボタン５２ｃおよび左ボタン５２ｄを操作することによって、前記表示画面６１に表示される太枠線８２を移動させて、表示画面６１に表示される複数の画像８１のうちの１つを選択することができる。また再生モードにおいて、パネル制御部１９は、中央ボタン５３を、選択した画像を決定する指令入力ボタンとして機能させる。
【０１４２】
複数の画像８１のうちの１つが選択され、中央ボタン５３が操作されると、選択された画像８１が拡大されて表示される。表示部１３の表示画面６１全体に表示される。
【０１４３】
図１３（２）は、表示部１３の表示画面６１に表示される画像８１を表す図である。図１３（１）に示す画像「ＡＢＣ」を十字ボタン５２によって選択して、中央ボタン５３を操作すると、表示部１３の表示画面６１には、画像「ＡＢＣ」のみが表示される。図１３（２）に示す状態で、再び中央ボタン５３を操作すると、パネル制御部１９は、表示部１３および画像データ記憶部１５に制御指令を与えて、再び図１３（１）に示す状態に遷移させる。
【０１４４】
本実施の他の形態において、前記撮像表示装置１が通信端末装置２に装着された装着状態、および撮像表示装置１が通信端末装置２から離脱した離脱状態に対応づけされて設定される第１の動作モードおよび第２の動作モードは、操作者によって設定されてもよい。たとえば、撮像表示装置１が通信端末装置２から離脱した離脱状態に対応づけして、再生モードとすると、前記離脱状態とすると撮像表示装置１は再生モードとなる。このような構成とすることによって、操作者が、装着状態および離脱状態において頻繁に利用する動作モードを設定することができ、撮像表示装置１の利便性がさらに向上する。
【０１４５】
本実施の形態では、撮像部によって静止画を撮像している、つまり画像データ記憶部１５に記憶される画像データは静止画のデータであるが、本発明の他の実施の形態において、動画を撮像してもよい、つまり画像データ記憶部１５に記憶される画像データは動画のデータであってもよい。また前記通信端末装置２は、たとえば電話装置であってもよい。
【０１４６】
【発明の効果】
以上のように本発明によれば、表示部は、少なくとも前記撮像部によって撮像された画像、および通信端末装置との通信によって得られた情報を含む所定の表示情報を、表示する。したがって、前記表示部を通信端末装置の表示部と兼用させることができる。記憶部は、たとえば入力部から入力される所定情報に基づいて、少なくとも前記撮像部によって撮像された画像を含む所定の記憶情報を記憶する。
【０１４７】
撮像表示装置が通信端末装置に装着された装着状態、および通信端末装置から離脱した離脱状態に対応づけして、予め定める第１の動作モードおよび予め定める第２の動作モードが設定される。制御部は、前記通信端末装置に装着された状態を検出すると、撮像部、表示部、入力部および記憶部を、前記設定された第１の動作モードまたは第２の動作モードに対応する機能に切換える。また制御部は、通信端末装置から離脱した離脱状態を検出すると、撮像部、表示部、入力部および記憶部を、前記設定された第１の動作モードまたは第２の動作モードに対応する機能に切換える。
【０１４８】
つまり操作者が通信端末装置から離脱したときに頻繁に用いる動作モード、および通信端末装置に装着したときに頻繁に用いられる動作モードを、それぞれ離脱状態および装着状態に対応づけして設定しておくことによって、撮像表示装置を通信端末装置から離脱する、または通信端末装置に装着するだけで、制御部が、撮像部、表示部、入力部および記憶部を、設定された動作モードに対応する機能に切換わる。したがって、たとえば入力部などからの入力指令によって、動作モードを変更する必要がなく、撮像表示装置を所望の動作モードとすることができ、これによって利便性が向上される。
【０１４９】
また本発明によれば、撮像モードでは、制御部は、撮像するように撮像部を制御する。したがって、たとえば離脱状態に対応づけして撮像モードを設定すると、撮像表示装置を通信端末装置から離脱させるだけで、撮像部によって撮像される状態とすることができる。また再生モードでは、制御部は、記憶部に記憶された画像を表示部に表示させるように、記憶部および表示部を制御する。このように、撮像表示装置において、頻繁に用いられる動作モードを前記装着状態または離脱状態設定することによって、より利便性が向上される。
【０１５０】
また本発明によれば、撮像モードでは、制御部は、表示部に撮像部によって撮像された画像を表示させる。これによって、操作者は、撮像部によって撮像された画像を見ることができる。また撮像モードでは、制御部は、入力部を撮像指令設定機能に設定する。これによって、前記入力部から撮像部および表示部のうち少なくとも一方への指令を直接入力することができる。したがって、撮像の設定および表示部の設定を入力部からの入力によって、直接変更することができるようになり、撮像部によって撮像する場合の操作が簡略化される。
【０１５１】
また本発明によれば、前記制御部は、前記撮像指令入力機能として少なくとも、明るさ、倍率および上下反転のうち少なくとも１つを含む。明るさ、倍率および上下反転のように、操作者による使用頻度の高い機能を入力部からの入力によって直接変更することができるようになり、操作性がさらに向上される。
【０１５２】
また本発明によれば、再生モードでは、制御部は、記憶部に記憶された画像を表示部に表示させる。これによって、操作者は、記憶部に記憶された画像を見ることができる。また、再生モードでは、制御部は、入力部を再生指令入力機能に設定する。これによって、前記入力部から表示部および記憶部のうち少なくとも一方への指令を直接入力することができる。したがって、表示部によって表示される画像を、入力部からの入力によって、直接変更することができる、つまりたとえば記憶部に記憶される複数の画像が記憶されている場合に、表示される画像を変更することができるようになり、再生モードにおける操作性が向上する。
【０１５３】
また本発明によれば、表示部には、前記予め定める第１および第２の動作モードを含む複数のモードの中から希望するモードを選択するための複数のモード選択表示ボタンが表示される。また前記入力部には、前記各モード選択ボタンに対応する複数のモード選択操作ボタンが設けられる。入力部のモード選択操作ボタンを操作することによって、表示部に表示されるモード選択表示ボタンを選択して、複数のモードの中から希望するモードを選択することができる。このように、入力部のようなハードウェアによって形成されるモード選択ボタンを用いて、表示部に表示され、ソフトウェアによって形成されるモード選択表示ボタンを選択することによって、モード選択ボタンを少なく構成することができる。したがって、装置のハードウェア構成を簡略化することができ、部品数を低減して装置の組み立てを容易にすることができる。
【図面の簡単な説明】
【図１】図１（１）は、本発明の実施の一形態の撮像表示装置１を通信端末装置２に装着した状態で示す正面図であり、図１（２）は通信端末装置２を撮像表示装置２から離脱した状態で示す正面図である。
【図２】撮像表示装置１を通信端末装置２に装着した状態を示す斜視図である。
【図３】撮像表示装置１の電気的構成を示すブロック図である。
【図４】通信端末装置２の構成を示すブロック図である。
【図５】撮像表示装置１の外観を示す正面図である。
【図６】撮像表示装置１の外観を示す背面図である。
【図７】撮像表示装置１を通信端末装置２に装着した装着状態を示す断面図である。
【図８】十字ボタン５２および中央ボタン５３の操作部位を拡大して示す図である。
【図９】撮像表示装置１を通信端末装置２から離脱させたときの表示部１３の表示画面６１を示す図である。
【図１０】撮像表示装置１を通信端末装置２から離脱させ、撮像モードとしたときの操作部１４の機能を説明する図である。
【図１１】メニュー表示モードにおける表示画面６１を示す図である。
【図１２】表示画面６１に表示される画質選択メニュー７３を示す図である。
【図１３】図１３（１）は、再生モードでの表示画面６１を示す図であり、図１３（２）表示部１３の表示画面６１に表示される画像８１を表す図である。
【符号の説明】
１  撮像表示装置
２  通信端末装置
１１  カメラ部
１２  画像処理部
１３  表示部
１４  パネル操作部
１５  撮像データ記憶部
１６  パネル通信部
１９  パネル制御部
５１  シャッタボタン
５２  十字ボタン
５３  中央ボタン
５４  機能ボタン
７２  モード選択表示ボタン
【図１】
2005012577.tif 000003
【図２】
2005012577.tif 000004
【図３】
2005012577.tif 000005
【図４】
2005012577.tif 000006
【図５】
2005012577.tif 000007
【図６】
2005012577.tif 000008
【図７】
2005012577.tif 000009
【図８】
2005012577.tif 000010
【図９】
2005012577.tif 000011
【図１０】
2005012577.tif 000012
【図１１】
2005012577.tif 000013
【図１２】
2005012577.tif 000014
【図１３】
2005012577.tif 000015